(57)【要約】【課題】模擬信号の認識検査の信頼性を高くでき、当該検査を正確に実行できる模擬信号発生器を提供すること。【解決手段】模擬信号発生器３０が、第１ノードと第２ノードとの間に電気的に接続されるパルス信号生成部と、第１ノードに電気的に接続される第１配線３１と、第２ノードに電気的に接続される第２配線３２と、第１配線３１における第１ノード側とは反対側の一端部に取り付けられる第１ワニ口クリップ３３と、第２配線３２における第２ノード側とは反対側の一端部に取り付けられる第２ワニ口クリップ３４と、パルス信号生成部が生成するパルス信号の数を入力する信号数入力部４０と、信号数入力部４０によって入力された数のパルス信号の生成をパルス信号生成部に実行させる実行操作部４３と、を備えるようにする。【選択図】図２
2018195120.tif 000002
【特許請求の範囲】
【請求項１】
第１ノードと第２ノードとの間に電気的に接続され、１以上のパルス信号を生成可能なパルス信号生成部と、
前記第１ノードに電気的に接続される第１配線と、
前記第２ノードに電気的に接続される第２配線と、
前記第１配線の一端部に取り付けられ、第１導体部に係止することで前記第１配線と前記第１導体部を電気的に接続する第１係止部と、
前記第２配線の一端部に取り付けられ、第２導体部に係止することで前記第２配線と前記第２導体部を電気的に接続する第２係止部と、
前記パルス信号生成部が生成する前記パルス信号の数を入力する信号数入力部と、
前記信号数入力部によって入力された数の前記パルス信号の生成を前記パルス信号生成部に実行させる実行操作部と、
を備える模擬信号発信器。
【請求項２】
請求項１に記載の模擬信号発生器において、
前記パルス信号生成部が生成する前記パルス信号間の時間間隔を入力するパルス間隔入力部を備える模擬信号発信器。
【請求項３】
請求項１又は２に記載の模擬信号発生器において、
前記パルス信号生成部が生成する前記パルス信号のパルス幅を入力するパルス幅入力部を備える模擬信号発信器。
【請求項４】
請求項１乃至３のいずれか１つに記載の模擬信号発生器において、
前記第１係止部を前記第１導体部に係止すると共に前記第２係止部を前記第２導体部に係止した状態で構成される回路に電力を供給するか否かを選択する電力供給選択部を備える模擬信号発信機。
【請求項５】
請求項１乃至４のいずれか１つに記載の模擬信号発生器において、
前記パルス信号と連続信号とを選択的に切り替える出力信号選択部を備える模擬信号発信機。
【請求項６】
請求項１乃至５のいずれか１つに記載の模擬信号発生器において、
前記第１係止部を第１電線に係止すると共に第２係止部を第２電線に係止したときに構成される環状の回路に電流が流れているとき、駆動状態において音を出力する音出力装置と、
前記音出力装置の駆動と非駆動を選択する音装置駆動選択部と、を備える模擬信号発生器。
【請求項７】
請求項１乃至６のいずれか１つに記載の模擬信号発生器において、
前記信号数入力部が、パルス信号生成部とは別体に構成され、信号数入力部からの信号が無線で前記パルス信号生成部に出力される、模擬信号発生器。
【発明の詳細な説明】
【技術分野】
【０００１】
本発明は、模擬信号発生器に関する。
【背景技術】
【０００２】
特許文献１に記載されているように、通常、中央監視システムは、中央監視用コントローラ、及び複数のローカル機器用コントローラを含み、中央監視用コントローラは、各ローカル機器用コントローラに制御信号を出力する。また、各ローカル機器用コントローラは、複数のローカル機器の動作を制御する。ローカル機器には、例えば、受変電設備、衛生設備、空調設備、照明設備、エレベーター、及び消防設備等が含まれる。ローカル機器で使用される電力は、電力メータで計測される。電力メータが、所定電力を計測する度に所定のパルス信号をローカル機器用コントローラに出力することで、中央監視システムは、ローカル機器での消費電力量を特定する。
【先行技術文献】
【特許文献】
【０００３】
【特許文献１】特開２００６−１５５４５６号公報
【発明の概要】
【発明が解決しようとする課題】
【０００４】
新規の中央監視システムの構築を行う場合や中央監視システムの追加工事を行う場合、中央監視システムがローカル機器で消費された電力を正確に認識するか否かを確認する必要がある。この確認は、電力メータに電気的に接続された信号線に模擬信号を出力し、この模擬信号が中央監視システムのローカル機器用コントローラに正確に伝わるか否かを検査することで行う。
【０００５】
この検査は、例えば、保守作業員等が、ローカル機器用コントローラと電力メータを電気的に接続する２本の信号線の両方に手を用いて導線片を所定のタイミングで接触させることで該２本の信号線を短絡させ、短絡時に摸擬信号をローカル機器用コントローラに送ることで実行する。
【０００６】
しかし、この導線片を用いた手作業による検査では、短絡時における電線の接触不良等により、保守作業員等が意図した出力信号と、実際にローカル機器用コントローラに入力された信号とが異なり易い。そして、両信号が異なる場合、再度検査を行う必要がある。
【０００７】
そこで、本発明の目的は、模擬信号の認識検査の信頼性を高くでき、当該検査を正確に実行できる模擬信号発生器を提供することにある。
【課題を解決するための手段】
【０００８】
本発明に係る模擬信号発信器は、第１ノードと第２ノードとの間に電気的に接続され、１以上のパルス信号を生成可能なパルス信号生成部と、前記第１ノードに電気的に接続される第１配線と、前記第２ノードに電気的に接続される第２配線と、前記第１配線の一端部に取り付けられ、第１導体部に係止することで前記第１配線と前記第１導体部を電気的に接続する第１係止部と、前記第２配線の一端部に取り付けられ、第２導体部に係止することで前記第２配線と前記第２導体部を電気的に接続する第２係止部と、前記パルス信号生成部が生成する前記パルス信号の数を入力する信号数入力部と、前記信号数入力部によって入力された数の前記パルス信号の生成を前記パルス信号生成部に実行させる実行操作部と、を備える。
【０００９】
本発明によれば、パルス信号生成部に生成させるパルスの数を予め設定できる。また、第１及び第２係止部で、第１配線と第１導体部の確実な電気的な接続と、第２配線と第２導体部の確実な電気的な接続とを確保でき、その状態で、設定した数のパルス信号を出力できる。したがって、手動でパルス信号を生成したときとの比較で、所望のパルス信号を、正確かつ確実に回路に出力できる。よって、模擬信号の認識検査の信頼性を高くでき、当該検査を正確に実行できる。
【００１０】
また、本発明において、前記パルス信号生成部が生成する前記パルス信号間の時間間隔を入力するパルス間隔入力部を備えてもよい。
【００１１】
上記構成によれば、精密な検査を実行できる。
【００１２】
また、本発明において、前記パルス信号生成部が生成する前記パルス信号のパルス幅を入力するパルス幅入力部を備えてもよい。
【００１３】
上記構成によれば、精密な検査を実行できる。
【００１４】
また、本発明において、前記第１係止部を前記第１導体部に係止すると共に前記第２係止部を前記第２導体部に係止した状態で構成される回路に電力を供給するか否かを選択する電力供給選択部を備えてもよい。
【００１５】
模擬信号の送り先の装置等が、電力を供給する場合もあれば、電力を供給しない場合もある。本構成によれば、模擬信号の送り先の装置等が電力を供給するか否かに応じて模擬信号発生器が電力を供給するか否かを容易に選択できる。よって、いずれの場合でも模擬信号発生器を含む回路に電力を供給できる。
【００１６】
また、本発明において、パルス信号と連続信号とを選択的に切り替える出力信号選択部を備えてもよい。
【００１７】
上記構成によれば、パルス信号だけでなく、連続信号を出力できる。
【００１８】
また、本発明において、前記第１係止部を第１電線に係止すると共に第２係止部を第２電線に係止したときに構成される環状の回路に電流が流れているとき、駆動状態において音を出力する音出力装置と、前記音出力装置の駆動と非駆動を選択する音装置駆動選択部と、を備えてもよい。
【００１９】
複数の電線から適切な電線を選択するときには、一般的には、当該複数の電線から二つの電線を選んだ後、テスタを用いてそれら２つの電線間に電流が流れるか否かを判定する。本構成によれば、音装置駆動選択部で音出力装置の駆動を選択し、第１係止部を第１電線に係止すると共に第２係止部を第２電線に係止するだけで、テスタを用いることなく選んだ二つの電線が適切か否かを判定できる。
【００２０】
また、本発明において、前記信号数入力部が、パルス信号生成部とは別体に構成され、信号数入力部からの信号が無線で前記パルス信号生成部に出力されてもよい。
【００２１】
上記構成によれば、一人の人が検査を行うことが可能になる。
【発明の効果】
【００２２】
本発明に係る模擬信号発生器によれば、模擬信号の認識検査の信頼性を高くでき、当該検査を正確に実行できる。
【図面の簡単な説明】
【００２３】
【図１】本発明の一実施形態に係る模擬信号発生器を活用できる中央監視システムの概略構成図である。
【図２】上記模擬信号発生器の正面図である。
【図３】上記模擬信号発生器のパルス信号生成部の構成図である。
【図４】図２に示す設定条件で上記パルス信号生成部が生成するパルス信号を表す図である。
【図５】ローカル機器用コントローラが、異なる分電盤にケーブルを介して電気的に接続されている状態を表す模式図である。
【図６】ケーブルに含まれる複数の電線を表す模式図である。
【発明を実施するための形態】
【００２４】
以下に、本発明に係る実施の形態について添付図面を参照しながら詳細に説明する。以下において複数の実施形態や変形例などが含まれる場合、それらの特徴部分を適宜に組み合わせて新たな実施形態を構築することは当初から想定されている。
【００２５】
図１は、本発明の一実施形態に係る模擬信号発生器３０を活用できる中央監視システム９０の概略構成図である。中央監視システム９０はビルを監視する。この例では、監視対象がビルである場合について説明するが、監視対象は遊園地や水族館等であってもよく、ビル以外の複数の機器を有する如何なる施設であってもよい。図１に示すように、中央監視システム９０は、中央監視用コンピュータ６１、中央監視用サーバ６２及び中央監視用コントローラ６３を備える。
【００２６】
中央監視用コンピュータ６１は、パーソナルコンピュータやワークステーションで好適に構成される。中央監視用コンピュータ６１は、中央監視用サーバ６２及び中央監視用コントローラ６３に接続され、中央監視用サーバ６２及び中央監視用コントローラ６３と信号の送受信を行う。中央監視用コンピュータ６１は、複数のキー及びマウス等で構成される入力部を有し、システム確認者等は、入力部を用いて中央監視用コントローラ６３に信号を入力できる。中央監視用コンピュータ６１は、モニタ等で構成される表示部を有し、表示部は、ビル内のローカル機器８１−１〜８１−ｎの動作状態等を表示する。
【００２７】
中央監視用サーバ６２は、中央監視用コントローラ６３に接続され、中央監視用コントローラ６３と信号の送受信を行う。中央監視用サーバ６２には、中央監視用コントローラ６３がローカル機器用コントローラ８０−１〜８０−ｎを制御するにあたって必要なデータのデータベースがインストールされ、該必要なデータが適宜、検索、抽出可能な状態になっている。
【００２８】
中央監視用コントローラ６３は、複数のローカル機器用コントローラ８０−１〜８０−ｎ（ｎは任意の自然数、以下でも同様）を介してビル内のローカル機器８１−１〜８１−ｎに接続される。ローカル機器８１−１〜８１−ｎには、例えば、受変電設備、衛生設備、空調設備、照明設備、エレベーター及び消防設備等が含まれる。複数の機器は施設毎に決定される。中央監視用コントローラ６３には、ローカル機器用コントローラ８０−１〜８０−ｎにローカル機器８１−１〜８１−ｎを制御させるための制御用ソフトウエアがインストールされている。中央監視用コントローラ６３は、中央監視用コンピュータ６１から条件が入力されると中央監視用サーバ６２内のデータを参照しつつ各ローカル機器用コントローラ８０−１〜８０−ｎに入力条件に基づく制御信号を出力する。
【００２９】
ローカル機器用コントローラ８０−１〜８０−ｎには、中央監視用コントローラ６３からの制御信号に基づいてローカル機器８１−１〜８１−ｎの動作を制御するための制御用ソフトウエアがインストールされている。ローカル機器用コントローラ８０−１〜８０−ｎには、中央監視用コントローラ６３からの信号によって制御される制御回路が内蔵され、その制御回路には複数のリレーが含まれる。ローカル機器用コントローラ８０−１〜８０−ｎが中央監視用コントローラ６３から制御信号を受けると、上記制御回路における各リレーの接離が定まる。ローカル機器用コントローラ８０−１〜８０−ｎは、各リレーの接離の特定で構築された制御回路に基づいてローカル機器８１−１〜８１−ｎを制御する。尚、図１では、各ローカル機器用コントローラ８０−１〜８０−ｎが１つのみのローカル機器８１−１〜８１−ｎに接続される様子が図示されているが、実際には、各ローカル機器用コントローラ８０−１〜８０−ｎには、複数のローカル機器が接続されている。
【００３０】
更には、中央監視システム９０は、複数の電力メータ８２−１〜８２−ｎを含み、各電力メータ８２−１〜８２−ｎは、対応するローカル機器８１−１〜８１−ｎで消費された電力量を計測する。各電力メータ８２−１〜８２−ｎは、電力会社から供給されて対応するローカル機器８１−１〜８１−ｎに送られた電力量が所定電力量値になる度に、パルス信号を対応するローカル機器用コントローラ８０−１〜８０−ｎに出力する。中央監視用コンピュータ６１は、各電力メータ８２−１〜８２−ｎからのパルス信号を、対応するローカル機器８１−１〜８１−ｎ及び中央監視用コントローラ６３を介して受け、システム確認者等は、中央監視用コンピュータ６１の表示部で各ローカル機器８１−１〜８１−ｎで消費された電力量を認識できる。
【００３１】
新規の中央監視システム９０を構築する場合には、中央監視用コンピュータ６１、中央監視用サーバ６２及び中央監視用コントローラ６３を接続し、ローカル機器用コントローラ８０−１〜８０−ｎを中央監視用コントローラ６３に接続する。また、各ローカル機器８１−１〜８１−ｎも対応するローカル機器用コントローラ８０−１〜８０−ｎに接続する。そして、この状態で、中央監視用コンピュータ６１が各電力メータ８２−１〜８２−ｎからのパルス信号を適切に認識するか否かを検査する。
【００３２】
模擬信号発生器３０は、この検査のために用いられる。模擬信号発生器３０は、第１及び第２配線３１,３２を含む。検査を行う際、第１及び第２配線３１,３２の夫々は、電力メータ８２−１〜８２−ｎにおいてローカル機器用コントローラ８０−１〜８０−ｎに信号を出力するための信号線を締め付ける第１及び第２端子ビス８５,８６に電気的に接続される。第１端子ビス８５は、第１導体部の一例であり、第２端子ビス８６は、第２導体部の一例である。検査は、模擬信号発生器３０のパルス信号生成部からローカル機器用コントローラ８０−１〜８０−ｎに第１及び第２配線３１,３２を介してパルス信号を出力することで行われる。
【００３３】
図２は、模擬信号発生器３０の正面図である。図２に示すように、模擬信号発生器３０は、本体部３５、第１配線３１、第２配線３２、第１係止部としての第１ワニ口クリップ３３、及び第２係止部としての第２ワニ口クリップ３４を備える。本体部３５は、ケース３６と、パルス信号生成部と、制御部を含み、パルス信号生成部及び制御部は、ケース３６内に配置される。なお、図２に示す実施例では、第１及び第２係止部が、ワニ口クリップ３３,３４であるが、第１及び第２係止部は、例えば、絶縁被膜を有さない導線部で構成されてもよく、この導線部をビスや電線にくくり付けることで、第１及び第２配線をビスや電線に電気的に接続してもよい。第１及び第２係止部は、ビスや電線に係止でき、第１及び第２配線をビスや電線に電気的に接続できる構造であればよい。
【００３４】
パルス信号生成部は、第１ノードと第２ノードの間に電気的に接続され、第１ノードと第２ノードの間で１以上のパルス信号（パルス波）を発生可能となっている。第１ノードには、第１配線３１の一端部が電気的に接続され、第２ノードには、第２配線３２の一端部が電気的に接続される。また、第１ワニ口クリップ３３は、第１配線３１の他端部に電気的に接続され、第２ワニ口クリップ３４は、第２配線３２の他端部に電気的に接続される。
【００３５】
次に、図３を用いて、パルス信号生成部３８がパルス信号を発生する機構について説明する。図３は、パルス信号生成部３８の構成図である。図３に示すように、パルス信号生成部３８は、例えば、ＡＣ／ＤＣコンバータ６５、平滑回路７２、及びパルス波生成部６６を有し、パルス波生成部６６には、トランジスタ等により構成されるスイッチング部が含まれる。交流電源６８からの交流電圧は、ＡＣ／ＤＣコンバータ６５及び平滑回路７２を経由することで直流電圧に変換され、変換後の直流電圧がパルス波生成部６６に入力される。制御部３９が後述する操作部からの信号に基づいて上記スイッチング素子をオンオフ制御することで、パルス波生成部６６が所望の数及び所望の形状のパルス信号を出力する。
【００３６】
なお、制御部３９はスイッチング素子を継続的にオン制御してもよく、この場合、パルス波生成部６６は振幅が一定の連続信号を生成する。また、図３では、交流電源６８をＡＣ／ＤＣコンバータ６５及び平滑回路７２を用いて直流電源に変換する場合について説明した。しかし、交流電源からの電力が本体部に供給されなくてもよく、本体部は、リチウムイオン二次電池等の充電可能な二次電池を含んでもよく、又はアルカリ乾電池等の一次電池を着脱可能に搭載できる構成でもよい。
【００３７】
再度、図２を参照して、本体部３５は、信号数入力部４０、パルス間隔入力部４１、パルス幅入力部４２、実行操作部４３、電力供給選択部４５、出力信号選択部４６、音装置駆動選択部４７、パルス数表示部５０、パルス間隔表示部５１、及びパルス幅表示部５２を有する。
【００３８】
信号数入力部４０は、アップ釦４０ａとダウン釦４０ｂを有する。アップ釦４０ａを一回押せば、パルス信号生成部３８が出力するパルス信号の数を一つ増やすことができ、ダウン釦４０ｂを一回押せば、パルス信号生成部３８が出力するパルス信号の数を一つ減らすことができる。アップ釦４０ａ及びダウン釦４０ｂを操作することで、パルス信号生成部３８が出力するパルス信号の数を所望の数に設定でき、設定されたパルス信号の数は、パルス数表示部５０に表示される。
【００３９】
パルス間隔入力部４１は、ダイヤルで構成される。当該ダイヤルを矢印Ａで示す周方向の一方及び他方側に回転させることで、パルス信号間の時間間隔を設定できる。設定されたパルス信号間の時間間隔は、パルス間隔表示部５１に表示される。また、パルス幅入力部４２は、ダイヤルで構成される。当該ダイヤルを矢印Ｂで示す周方向の一方及び他方側に回転させることで、パルス信号のパルス幅を設定できる。設定されたパルス幅は、パルス幅表示部５２に表示される。
【００４０】
実行操作部４３は、パルス信号生成部３８にパルス信号の生成を実行させる操作部であり、パルス信号生成部３８に電力を供給するか否かを決定する操作部である。実行操作部４３は、押釦で構成される。実行操作部４３が押下状態になっているとき、電力がパルス信号生成部３８に供給される。また、実行操作部４３が押上状態になっているとき、パルス信号生成部３８への電力の供給が停止される。詳しくは、実行操作部４３を押し下げると、制御部３９が、信号生成部用電力供給回路に含まれるスイッチング素子をオン制御する。この制御により、電力が交流電源６８からパルス信号生成部３８に供給され、設定された１以上のパルス信号が、第１配線３１の一端部と第２配線３２の一端部との間に生成される。他方、実行操作部４３を押し上げると、制御部３９が、信号生成部用電力供給回路に含まれるスイッチング素子をオフ制御し、交流電源６８からの電力がパルス信号生成部３８へ供給されなくなる。
【００４１】
図４は、図２に示す設定条件で、パルス信号生成部３８が生成するパルス信号５５を表す図である。なお、図４において、ｔ１は、パルス信号間の時間間隔（秒）を表し、ｔ２は、パルス幅（秒）を表す。図２に示す設定条件では、パルス数が５回に設定され、パルス信号間の時間間隔が１.５（秒）に設定され、パルス幅が１.０（秒）に設定されている。この場合、図４に示すように、パルス信号生成部３８は、ｔ１が１.５（秒）でありｔ２が１.０（秒）である５個のパルス信号５５を生成する。
【００４２】
再度、図２を参照して、電力供給選択部４５は、切り換えスイッチで構成される。模擬信号発生器３０を含むループ状の電気回路を構築したとき、その電気回路に電力を供給する装置等が含まれる場合、電力供給選択部４５を無電圧側に切り替える。この切り替えにより、模擬信号発生器３０の電力源としての機能が失われる。他方、模擬信号発生器３０を含むループ状の電気回路を構築したとき、その電気回路に電力を供給する装置等が含まれない場合、電力供給選択部４５を有電圧側に切り替える。この切り替えにより、交流電源６８や上述の二次電池等を、電力源として機能させることができる。
【００４３】
出力信号選択部４６は、切り換えスイッチで構成される。上述のように、パルス信号生成部３８は、所望の数及び形状のパルス信号を生成でき、振幅が一定の連続信号も生成できる。出力信号選択部４６をパルス側に切り替えると、パルス信号生成部３８はパルス信号を生成し、出力信号選択部４６を連続側に切り替えると、パルス信号生成部３８は連続信号を生成する。
【００４４】
また、模擬信号発生器３０を、線チェッカーとして機能させることもできる。詳しくは、模擬信号発生器３０は、ブザー等の音出力装置（図示せず）をケース３６内に有する。音出力装置は、例えば、アンプ内蔵の小型スピーカーを含み、制御部３９からの制御信号で振動板を振動させ、ブザー音を出力する。音装置駆動選択部４７は、ループ状の電気回路に音出力装置が含まれるか否かを選択するための操作部であり、切り換えスイッチで構成される。音装置駆動選択部４７を、ＯＮ側に切り替えると、音装置用スイッチング素子の切り替えで上記ループ状の電気回路に音出力装置が含まれる。よって、音装置駆動選択部４７をＯＮ側に切り替えた状態において、電流が当該ループ状の電気回路に流れると、音出力装置がブザー音を出力する。他方、音装置駆動選択部４７を、ＯＦＦ側に切り替えると、音装置用スイッチング素子の逆側への切り替えで、上記ループ状の電気回路が音出力装置を含まなくなり、音出力装置がブザー音を出力することがない。なお、各種操作部４０〜４３,４５〜４７は、図２で示す例と異なる形態の操作部で構成されてもよく、例えば、押し釦、ダイヤル、切り換えスイッチ、又はタッチパネル等、如何なる操作部で構成されてもよい。
【００４５】
模擬信号発生器３０は、例えば次に示すように用いられる。なお、以下では、中央監視用コンピュータ６１が、電力メータ８２−１からのパルス信号を適切に認識できるか否かの検査を例に説明を行う。図１を参照して、新規の中央監視システム９０が施工され、電力メータ８２−１〜８２−ｎと、ローカル機器用コントローラ８０−１〜８０−ｎが適切な信号線で電気的に接続されているものとする。この状態において、先ず、模擬信号発生器３０の第１ワニ口クリップ３３を、電力メータ８２−１の第１端子ビス８５に係止し、第２ワニ口クリップ３４を、電力メータ８２−１の第２端子ビス８６に係止する。
【００４６】
次に、信号数入力部４０、パルス間隔入力部４１、及びパルス幅入力部４２を用いて模擬信号発生器３０に発生させるパルス信号を設定する。なお、模擬信号発生器３０に発生させるパルス信号の設定と、第１及び第２ワニ口クリップ３３,３４の第１及び第２端子ビス８５,８６への係止は、順序が逆になってもよい。
【００４７】
その後、実行操作部４３を用いて模擬信号発生器３０に設定したパルス信号を生成させ、当該設定したパルス信号を、電力メータ８２−１とローカル機器用コントローラ８０−１とを電気的に接続する２つの配線（図１には、便宜上、１の配線のみを図示）８８、ローカル機器用コントローラ８０−１、及び中央監視用コントローラ６３を経由させ、中央監視用コンピュータ６１に出力する。
【００４８】
そして、中央監視用コンピュータ側の保守作業員等が中央監視用コンピュータ６１の表示部で送られてきたパルス信号の数、形状を確認する。該保守作業員等が送られてきたパルス信号の数、形状を携帯電話等で模擬信号発生器側の保守作業員等に伝え、模擬信号発生器３０から送ったパルス信号の数、形状と、中央監視用コンピュータ６１の表示部で確認されたパルス信号の数、形状とを照合する。２つのパルス信号の数、形状が一致すれば、中央監視用コンピュータ６１が、電力メータ８２−１からのパルス信号を適切に受信できることがわかる。
【００４９】
次に、模擬信号発生器３０を用いたローカル機器用コントローラ８０−１の適切な配線の選別法について説明する。図５に示すように、ローカル機器用コントローラ８０−１は、例えば、ｍ個（ｍは、任意の自然数）の異なる区画の夫々の分電盤９０−１〜９０−ｍにケーブル７０−１〜７０−ｍを介して電気的に接続される。また、図６に示すように、ケーブル７０−１は、複数の電線６０を含み、各電線６０は導線が絶縁被膜で被覆されている。この複数の電線６０には、電力メータ８２−１とローカル機器用コントローラ８０−１との電気的な接続に用いる２つの電線が含まれる。
【００５０】
当該２つの電線は、模擬信号発生器３０によって次の手順で選別できる。先ず、保守作業員等が、例えば、ローカル機器用コントローラ８０−１側で、ローカル機器用コントローラ８０−１と電力メータ８２−１との接続に用いる２つの電線（信号線）を短絡する。続いて、ケーブル７０−１に含まれる複数の電線６０から２つの電線６０の組を選ぶ。図６に示すように、ケーブル７０−１が、１０本の電線６０を有する場合、上記組は、10Ｃ2＝（１０×９）／（２×１）＝４５組存在する。
【００５１】
その後、音装置駆動選択部４７をオン側に切り替えた状態で、上記４５組から一つずつ選んで、模擬信号発生器３０の第１及び第２ワニ口クリップ３３,３４を、選んだ組の２つの電線６０に係止し、音出力装置がブザー音を出力するか否かを確認する。上述のように、ローカル機器用コントローラ８０−１と電力メータ８２−１との接続に用いる２つの電線６０は、ローカル機器用コントローラ８０−１側で短絡している。その結果、当該２つの電線６０が選ばれたとき、音出力装置を含む閉回路が構成され、音声出力装置がブザー音を出力する。よって、ブザー音を確認することで、ローカル機器用コントローラ８０−１と電力メータ８２−１との接続に用いる２つの電線６０を選別できる。
【００５２】
上記実施形態によれば、パルス信号生成部３８に生成させるパルスの数を予め設定できる。また、第１及び第２ワニ口クリップ３３,３４で、第１配線３１と第１端子ビス８５の確実な電気的な接続と、第２配線３２と第２端子ビス８６の確実な電気的な接続とを確保でき、その状態で、設定した数のパルス信号を出力できる。したがって、手動でパルス信号を生成したときとの比較で、所望のパルス信号を、正確かつ確実に回路に出力できる。よって、模擬信号の認識検査の信頼性を高くでき、当該検査を正確に実行できる。
【００５３】
また、パルス信号生成部３８が生成するパルス信号間の時間間隔を入力するパルス間隔入力部４１を備えるので、精密な検査を実行でき、当該パルス信号のパルス幅を入力するパルス幅入力部４２を備える点からも、精密な検査を実行できる。
【００５４】
また、模擬信号の送り先の装置（システム）等が、電力を供給する場合もあれば、電力を供給しない場合もある。本実施形態によれば、電力供給選択部４５を備えるので、模擬信号の送り先の装置等が電力を供給するか否かに応じて模擬信号発生器３０が電力を供給するか否かを容易に選択できる。よって、いずれの場合でも模擬信号発生器３０を含む回路に電力を供給できる。
【００５５】
更には、複数の電線から適切な電線を選択するときには、一般的には、当該複数の電線から二つの電線を選んだ後、テスタを用いてそれら２つの電線間に電流が流れるか否かを判定する。本実施形態によれば、２つの電線６０を選んだ後、音装置駆動選択部４７で音出力装置の駆動を選択し、第１ワニ口クリップ３３を一方の電線６０に係止すると共に第２ワニ口クリップ３４を他方の電線６０に係止するだけで、テスタを用いることなく選んだ二つの電線６０が適切か否かを判定できる。
【００５６】
尚、本発明は、上記実施形態およびその変形例に限定されるものではなく、本願の特許請求の範囲に記載された事項およびその均等な範囲において種々の改良や変更が可能である。
【００５７】
例えば、上記実施形態では、信号数入力部４０が、パルス信号生成部３８と一体に構成される場合について説明した。しかし、信号数入力部がパルス信号生成部と別体に構成され、信号数入力部からの信号が無線でパルス信号生成部に出力されてもよく、一人の人が遠隔操作で検査を行うことを可能にしてもよい。
【００５８】
また、信号数入力部４０で入力した数のパルス信号５５を、中央監視用コンピュータの表示部で確認する場合について説明した。しかし、中央監視用コンピュータが、送信部を有する一方、模擬信号発生器が受信部を有してもよい。そして、中央監視用コンピュータに到達したパルス信号生成部からの信号が、中央監視用コンピュータから無線で模擬信号発生器に出力され、模擬信号発生器で中央監視用コンピュータから無線で出力された信号を確認できるようにしてもよい。このようにして、模擬信号発生器側の保守作業員等が、中央監視用コンピュータ側の保守作業員等を介さずに、一人で検査を行うことができるようにしてもよい。
【符号の説明】
【００５９】
３０  模擬信号発生器、  ３１  第１配線、  ３２  第２配線、  ３３  第１ワニ口クリップ、  ３４  第２ワニ口クリップ、  ３８  パルス信号生成部、  ４０  信号数入力部、  ４１  パルス間隔入力部、  ４２  パルス幅入力部、  ４３  実行操作部、  ４５  電力供給選択部、  ４６  出力信号選択部、  ４７  音装置駆動選択部、  ５５  パルス信号、  ８５  第１端子ビス、  ８６  第２端子ビス。
【図１】
2018195120.tif 000003
【図２】
2018195120.tif 000004
【図３】
2018195120.tif 000005
【図４】
2018195120.tif 000006
【図５】
2018195120.tif 000007
【図６】
2018195120.tif 000008